(57)【要約】    【課題】  遮光率の調整が容易であり、取り扱い性に優れて、かつ安価である、ハウス内の内張カーテンに好適な農業用遮光シートを提供する。    【解決手段】  農業用遮光シート１０は、合成樹脂フィルムの片面に金属蒸着層を形成した金属蒸着フィルムをテープ状にカットし得られた遮光率２０〜８０％の４〜６ｍｍ幅の遮光性テープ１を、フラットな状態で縦横１方向に並列して、繊維糸１１，１２，１３による編織手段により保持され、シート状に形成される。このシート１０は、合成繊維マルチフィラメント糸１１を編糸として経編編成され、経方向の編目列が横振り糸により連結されてなる経編組織の各編目列間に、遮光性テープ１が経挿入糸として挿入されて並列状に保持される。    【選択図】    図３
0003102671.tif 000002
【実用新案登録請求の範囲】
【請求項１】
合成樹脂フィルムの片面に金属蒸着層を形成した金属蒸着フィルムをテープ状にカットし得られた遮光率２０〜８０％の遮光性テープを、フラットな状態で縦横１方向に並列して、繊維糸による編織手段により保持され、シート状に形成されていることを特徴とする農業用遮光シート。
【請求項２】
前記遮光性テープの幅が、４〜６ｍｍである請求項１に記載の農業用遮光シート。
【請求項３】
前記繊維糸を編糸として経編編成され、経方向の編目列が横振り糸により連結されてなる経編組織の各編目列間に、前記遮光性テープが経挿入糸として挿入されて並列状に保持されてなる請求項２に記載の農業用遮光シート。
【請求項４】
前記繊維糸が、合成繊維からなるマルチフィラメント糸である請求項３に記載の農業用遮光シート。
【請求項５】
前記遮光性テープの金属蒸着面をシートの一面側にして配され、農業用ハウスの内張カーテンに使用されるものである請求項１〜４のいずれか１項に記載の農業用遮光シート。
【考案の詳細な説明】
【技術分野】
【０００１】
本考案は、農作物等のハウス栽培に用いられるビニールハウス、トンネルハウスなどの内部に張設される内張カーテンに適した農業用遮光シートに関する。
【背景技術】
【０００２】
近年、農作物は周年収穫を可能とするハウス栽培、トンネル栽培等の施設栽培が盛んに実施されている。例えば、ハウス栽培は、昼間の太陽光線によってハウス内の地中に吸収された熱が夜間に放射熱となって放射される際、これを内張カーテンにより反射することでハウス内を保温し農作物の促成を図っている。また、カーテンの遮光率やその開閉の調節によって、夏期には強い日射時の太陽光線を遮蔽してハウス内部の温度上昇を抑えながら換気を行い適切な温湿度を保ち、冬期には太陽エネルギーの有効利用やハウス内の空間を狭くすることで暖房費などの節約が図られている。
【０００３】
従来、この農業用遮光シートとしては、フィルム表面にアルミニウム等の金属を蒸着した蒸着フィルムやアルミ箔を積層した銀面フィルム、また蒸着フィルム等の裏面にカーボンブラックを混入した黒色フィルムを張り合わせた銀／黒面フィルム、或いは白色不織布をテープ状にカットした遮光性テープを経糸、緯糸に用いてシート状にしたものが多く用いられている。
【０００４】
このようなハウス内に張設し温度、湿度の調節を行うシートとして、遮光性および遮熱性を有する遮断テープを適宜間隔をあけて複数本配設し、該遮断テープ間に、透光性を有する透光部を形成した農業用シートが開示されている（例えば、特許文献１）。
【特許文献１】特開２００１−２９２６４６号公報
【考案の開示】
【考案が解決しようとする課題】
【０００５】
図５に示す従来例の農業用遮光シート２０は、テープ表面にアルミニウム蒸着やアルミ箔を積層した遮光性テープ２１と透明な透光性テープ２２とが経糸としてテープ間に隙間Ｓを設けて交互に配列され、経糸２３と緯糸２４，２５により経編みに編まれてテープ２１，２２がフラットな状態で並列して一体に連結されシート２０を形成し、隙間Ｓで通気性を確保するとともに、シート２０の遮光率を調節するものである。
【０００６】
しかしながら、このようなシート２０では、遮光率を調節するために遮光性テープ２１と透光性テープ２２の裁断幅や配列数を組み合わせて調整する必要があり、２種類のテープ２１，２２を裁断し組み合わせるのに手数がかかると共に、編織時にテープ２１，２２を、例えば経編編成における導糸ガイドに交互に糸通しする手間を要し製造工程が煩雑となりシートのコスト上昇の一因となっている。また、アルミ箔を積層したテープを用いた場合、シート重量が重くなって取り扱い性やカーテン開閉時などの作業性に欠け、焼却するとアルミ箔が金属として残るため使用後の廃棄処理が容易でないという問題がある。
【０００７】
そこで、遮光率を８０％未満に調整した遮光性フィルムをカーテンに使用しハウス内の温度調節を行うことが考えられる。この遮光性フィルムでは太陽光の透過を適度に抑制しハウス内の温度や明るさを確保できるが、反面カーテンに通気性が殆どないため内部の水分が放出できずに過湿状態となりやすく作物に悪影響を与えたり、熱気がハウス内に滞留し作業環境を悪化させる欠点がある。また、カーテンの開閉時にロール状に巻き取ったりアコーデオン状に折り畳むのが難しく嵩高となって収容性が悪く、開閉時に皺や破損を生じやすいという問題もある。
【０００８】
本考案の課題は、農業用遮光シートの遮光率を調節を容易とし、ハウス内の温度、湿度の調節や明るさの確保が容易であって周年を通じて使用することができ、しかも取り扱い性に優れて、かつ安価である、ハウス内の内張カーテンとして好適な農業用遮光シートを提供することにある。
【課題を解決するための手段】
【０００９】
本考案は、合成樹脂フィルムの片面に金属蒸着層を形成した金属蒸着フィルムをテープ状にカットし得られた遮光率２０〜８０％の遮光性テープを、フラットな状態で縦横１方向に並列して、繊維糸による編織手段により保持され、シート状に形成されていることを特徴とする農業用遮光シートである。
【００１０】
本考案の農業用遮光シートによると、遮光率２０〜８０％の遮光性テープでシートを形成することにより、シート外側からの太陽光や熱を適度に反射しながら一部を透過し、内側からの光や熱は内部に反射させ、かつテープ間に通気性を有することで過剰な湿気や熱を放出してハウス内部の温湿度、明るさを適度に保ち、過湿を防止することができる。特に夏期には遮光、遮熱効果により温度上昇を防ぎ、冬期には保温効果を発揮し周年を通して作物の促成と作業環境を向上することができる。このフィルムの遮光率が２０％未満であるとシートの透過率が過多となり、８０％を越えると保温性、採光性を確保することが困難となる。遮光率は使用されるハウスやカーテンの構造や容積、作物の種類などの用途や時期によりこの範囲内で選択され使用され、また、シートの遮光率は遮光性テープの遮光率を任意に選択することで容易に調節でき、シートの製造工程も従来の複数のテープを組み合わせたものに比べ大幅に簡略化することができる。そして、軽量で柔軟性に優れることから、カーテン開閉時等に巻き取り、折り畳みが可能となり取り扱い性、作業性を向上しコンパクトな収容を可能とする。
【００１１】
前記遮光性テープは、合成樹脂フィルムの片面に金属蒸着層を形成した金属蒸着フィルムをテープ状にカットして得られ、これにより遮光率の調整を２０〜８０％の範囲に実施することが容易となり、このフィルムの裁断加工により遮光性テープを簡単に製造することができる。また、金属蒸着面側では銀面化により光や熱を反射し、非蒸着面側では光や熱を乱反射させハウス内部の環境を均一化する。さらに、使用後のシートは焼却によりアルミ箔のような金属を残さずに処理することができるので、廃棄処分が容易なものとなる。
【００１２】
そして、前記金属蒸着層の厚みは、アルミニウム蒸着の場合では、０．００５〜０．０２μｍとすることで、従来よりも薄い蒸着層の形成により２０〜８０％の範囲で所望の遮光率を有する遮光性テープを得ることができる。前記金属蒸着層はアルミニウム蒸着層であることが好ましく、汎用金属を用いて蒸着層を形成することで、従来からの蒸着加工法により耐久性に優れる遮光性テープをより安価に得られるようになる。
【００１３】
本考案の農業用遮光シートに用いられる前記遮光性テープは、テープ幅が４〜６ｍｍであることが好ましく、幅が４ｍｍ未満であるとテープの裁断や編織加工が困難となり、６ｍｍを越えるとシートの柔軟性が低下し取り扱い性が損なわれ、収容時には嵩高となり収納性に欠け好ましくない。
【００１４】
本考案の農業用遮光シートは、前記繊維糸を編糸として経編編成され、経方向の編目列が横振り糸により連結されてなる経編組織の各編目列間に、前記遮光性テープが経挿入糸として挿入されて並列状に保持されてなることが好適である。
【００１５】
これにより、経編機を用いて農業用遮光シートを容易に編成することができ、遮光性テープがフラットな状態で並列に保持され、各テープ間に配される編糸による編目列がテープ間に隙間を形成しシートの通気性を向上することができる。
【００１６】
また、前記繊維糸が、合成繊維からなるマルチフィラメント糸であることが好ましく、テープ間の連結部を柔軟にすることでシートの柔軟性をより良好にし、シートをロール状に巻き取ったりアコーデオン状に折り畳むことができ取り扱い性や収納性を向上させる。
【００１７】
本考案の農業用遮光シートでは、前記遮光性テープの金属蒸着面をシートの一面側にして配され、農業用ハウスの内張カーテンに使用されるものであり、ハウス外部からの直射日光や太陽熱を適度に反射しながら一部を透過し、かつ地面からの反射光や蓄積熱は内部に乱反射させ、さらに過剰な湿気や熱を外部に放出してハウス内部の保温性、採光性や湿度を適度なものとし、夏冬を通して周年にわたる作物の促成と作業環境を向上し、またハウス内の冷暖房を節約することで省エネルギー化を図ることができる。この場合、シートの金属蒸着面側を内張カーテンの外側に配して使用することにより、前記作用をより効果的なものとすることができる。
【考案の効果】
【００１８】
本考案にかかる農業用遮光シートは従来の農業用遮光シートに比較して次のような効果を有している。すなわち、（１）シートの遮光率が遮光性テープの遮光率の選択により容易に調節できるので、シートの部材数やテープの配列構成を簡便にしてハウス内の温湿度や明るさなどの環境条件を適正に保つことが容易であり、周年を通じて使用可能な農業用遮光シートを提供することができる。（２）軽量で、柔軟性があり、巻き取り、折り畳み等の取り扱い性に優れ、カーテン収容時には嵩高になることがなくコンパクトに収納することができる。（３）部材点数の削減と製造工程の簡略化により安価に生産することができる。（４）使用後の焼却処分が可能である。（５）上記の諸性能に優れることから、ハウス栽培やトンネル栽培の内張カーテンや農業用シートに好適である。以上のような諸効果を有し、周年収穫を行う農作物の施設栽培に大きく寄与するものである。
【考案を実施するための最良の形態】
【００１９】
以下に本考案の実施の形態を図面に基づいて具体的に説明する。
【００２０】
図１は本考案に係る一実施形態を示す遮光率２０〜８０％の遮光性テープ１の斜視図である。このテープ１は図２のフィルム断面図に示すような遮光性フィルム５をテープ状にカットしたものである。遮光性フィルム５は、基材となる合成樹脂フィルム２の表面にアルミニウム等の金属蒸着層３を設けたものであり、さらに蒸着層の上に合成樹脂の薄膜４を被覆したものでもよい。
【００２１】
合成樹脂フィルム２は、ポリエチレンテレフタレート（ＰＥＴ）、ナイロン６、６６等の各種ナイロン、ポリエチレン、ポリプロピレン、エチレン酢酸ビニル重合体などの各種合成樹脂からなるフィルムが使用できる。フィルム２は一軸又は二軸延伸法などの通常の方法で製膜した厚み１０〜１００μｍ程度、好ましくは１０〜５０μｍ、特に好ましくは１２〜２５μｍのフィルムであり、厚みが薄すぎると強度、耐久性が低下し、厚くなると重量が増し、剛直となってシートの取り扱い性や編織加工性が悪化する。
【００２２】
金属蒸着層３は、前記フィルム２の片面にアルミニウム、ニッケル、クロム、チタン、スズ、銀、ステンレスなどを既知の蒸着法により蒸着したもので、中でもアルミニウムがコスト、蒸着安定性の点で好ましい。
【００２３】
蒸着層３の厚みは、蒸着金属がアルミニウムの場合は０．００５〜０．０２μｍ程度、好ましくは０．０１〜０．０２μｍの範囲であり、従来の金属蒸着フィルムよりも薄い蒸着層を形成することで遮光率２０〜８０％の範囲の遮光率を有する遮光性フィルム５が得られる。このアルミニウム蒸着層３の厚みが０．０２μｍを越えるとフィルムの遮光率が８０％を越えてしまい、０．００５μｍより薄いと遮光率が２０％未満となり光の透過率が大きくなってしまい本考案の目的を達成できない。また、フィルムの両面に金属蒸着を行うと、フィルムの片面を銀面化して光や熱を反射させ、他方の非蒸着面で光や熱を乱反射させることによる温度調整効果が低下する。なお、蒸着層３の厚みは上記蒸着金属の種類により適宜変更し、所望の遮光率に調整し使用することができる。
【００２４】
この蒸着層３の厚みを調整することにより遮光性フィルム５の遮光率を２０〜８０％の範囲に調整して得ることができ、実用的には遮光率３０〜７０％の範囲で用いられることが多い。フィルム５の遮光率が２０％未満であると、これを用いたシートの遮光性が低下しハウス内への光、熱の透過が過多となって温度調整が困難となり、８０％を越えると透過性不足となってハウス内の温度や明るさの確保が難しくなる。
【００２５】
遮光性テープ１は、上記遮光性フィルム５を通常のスリッター等の裁断機により所定幅のテープ状にカットしたものである。テープ１の幅は４〜６ｍｍ程度であり、テープ幅が４ｍｍ未満であるとテープのカット性やシートの編織加工が煩雑かつ困難となり、６ｍｍを越えるとシートの柔軟性が低下し取り扱い性が損なわれ、巻き取り時には嵩高となり収納性に欠けるなどの問題が生じてくる。
【００２６】
図３は、上記遮光性テープ１を用いてシート状に形成した実施形態の農業用遮光シート１０の概略を示す平面図である。
【００２７】
農業用遮光シート１０は、遮光性テープ１が金属蒸着面側１ａを上方にしてフラットな状態になるように並列状に配され、繊維糸からなる経糸１１及び緯糸１２，１３を用いた編織手段によりテープ１が各テープ間に繊維糸１１による通気可能な隙間Ｓを介して相互に連結されシート状に形成されたものである。
【００２８】
繊維糸１１，１２，１３は、合成繊維のマルチフィラメント糸、モノフィラメント糸、一般の紡績糸などが使用できるが、テープ１間の連結部で屈曲しやすくシート１０の柔軟性や巻き取り、折り畳み性を確保することができ、軽くて強度や耐屈曲性を有し耐久性がよく、また吸水性により除湿効果に優れる等の観点からＰＥＴやナイロン等の合成繊維からなるマルチフィラメント糸が最も好ましい。各繊維糸の太さは特に制限されないが、通常１００〜５６０デシテックス程度の糸が使用され、より好ましくは１５０〜３５０デシテックスであり、シートの用途、テープ幅や編織方式により糸の材質、太さを適宜選択し用いればよい。
【００２９】
この農業用遮光シート１０を形成するための編織手段は、遮光性テープ１を経糸又は緯糸に用いて、上記繊維糸を経糸及び／又は緯糸として用いた編織手段によりテープ１がフラットな状態で並列して相互に連結されシート状に形成されるもので、例えばラッセル編み機などによる経編み、カラミ織り、平織り等の各種の編織方法を採用することができる。
【００３０】
また、シート１０の遮光率や通気性を調節するために、隙間Ｓを大きく編織したり、適宜幅に裁断した透光性テープを遮光性テープ１の間に混在させ編織りしシートを形成してもよい。
【００３１】
本考案の農業用遮光シート１０は、ハウス内の内張カーテンとして好適に使用され、シート１０の金属蒸着面側１ａをハウスの外側に向けて用いることで、外部からの光や熱を適度に反射しかつ必要量を透過させ、内部からの光や熱を内側に乱反射させることで、ハウス内の適度な温湿度や明るさを確保し、夏冬期を通じて周年にわたる農作物の促成、病気の予防、及び作業に適した環境条件を創り出すことができる。
【００３２】
また、カーテンの開閉においては、シート１０が柔軟であり、テープ１相互間の連結部での折り畳みが容易であることから、シートをロール状に巻き取ったり或いはアコーデオン状に折り畳み収容することができ、開閉作業を向上するとともにコンパクトな収納が可能となる。
【実施例】
【００３３】
製膜した厚み１２μｍのＰＥＴフィルム２の片面に厚み０．０１５μｍのアルミニウム蒸着層３を形成した図２に示す遮光率５０％の遮光性フィルム５を製造した。この遮光性フィルム５を５ｍｍ幅にカットし図１に示す遮光性テープ１を得た。
【００３４】
この遮光性テープ１のアルミニウム蒸着面１ａを上方に向け、テープ１間にそれぞれ隙間Ｓを設けて各テープ１がフラットな状態で並列状に配列されるように、太さ３００デシテックスのポリエステルマルチフィラメント糸１１を経糸，同糸１２，１３を緯糸としてラッセル編み機により経編みした図３に示す遮光シート１０を製造した。
【００３５】
この経編みによる遮光シート１０は、図４に示すシート部分拡大図のように（図４では、編み目を明示するために隙間Ｓと編み目を特に拡大して示す）、遮光性テープ１をそのアルミ蒸着面１ａを上側に揃えて経糸とし、各テープ１間にマルチフィラメント糸１１で経方向にループ状の編目列を形成するとともに遮光性テープ１を経糸挿入糸として挿入し、マルチフィラメント糸１２，１３を横振り糸として遮光性テープ１の表裏を覆うように編目列に緯入れして連結し経編みにしたもので、その結果各テープ１間に通気性を有する隙間Ｓが形成されるとともに各テープ１がフラットな状態で引き揃えられて並列状に配列され、シート１０の片面側にアルミニウム蒸着面１ａが配されたシート１０が得られる。この農業用遮光シート１０の遮光率は４５％である。
【００３６】
この農業用遮光シートの遮光率は、素材となる遮光性フィルム５の蒸着厚みを変更することで２０〜８０％の範囲で任意の遮光率を有する遮光性テープが容易に得られ、これを用いることで本考案の農業用遮光シートの遮光率調整も容易なものとなる。
【産業上の利用可能性】
【００３７】
本考案の農業用遮光シートは、農業用、園芸用などの農業用遮光シートに適し、特にハウス栽培やトンネル栽培、温室などの内張カーテンとして好適に使用することができる。
【図面の簡単な説明】
【００３８】
【図１】実施形態の遮光性テープの斜視図である。
【図２】実施形態の遮光性フィルムの断面図である。
【図３】実施形態の農業用遮光シートの概略平面図である。
【図４】図４の部分拡大図である。
【図５】従来例の農業用遮光シートの概略平面図である。
【符号の説明】
【００３９】
１……遮光性テープ
１ａ……金属蒸着面
２……フィルム
３……金属蒸着層
５……遮光性フィルム
１０……農業用遮光シート
１１……経糸
１２，１３……緯糸
Ｓ……隙間
【図１】
0003102671.tif 000003
【図２】
0003102671.tif 000004
【図３】
0003102671.tif 000005
【図４】
0003102671.tif 000006
【図５】
0003102671.tif 000007